(57)【特許請求の範囲】
【請求項１】
機体の内部に形成された所定の領域に、遊技の状態に応じた演出表示を行う表示装置及び前記表示装置の外側に位置するように配置されている可動装飾装置を備えた遊技機であって、
前記可動装飾装置は、
ベース部材と、
一端部と他端部とを有し、前記一端部及び前記他端部が前記ベース部材に取付固定され、互いに直交する方向となるように形成された第１発光基板取付部及び第２発光基板取付部を有する発光部本体と、前記第１発光基板取付部に取り付けられており、正面方向に光を照射する第１光源及び前記第２発光基板取付部に取り付けられており、前記正面方向とは直交する方向であって、前記表示装置が配置されている前記所定の領域の中側に向けて光を照射する第２光源を少なくとも有する発光部と、
内部に前記第１光源と第２光源とを配置することができ、透光性を有する材料で形成された中空の多角柱体に形成されており、該多角柱体を構成する各側面部が遊技機の演出表示に用いる装飾が施された表示部として形成され、前記発光部本体の一端部と他端部とを結ぶ軸と同じ軸を回動軸として前記発光部の周りを回動可能に設けられた可動体と、を備えたことを特徴とする遊技機。
【請求項２】
前記可動体を回動させる駆動手段を備え、
前記可動体は、
前記駆動手段の駆動力を伝達する伝達部と、
前記ベース部材に形成された嵌合部と嵌合可能に形成され、前記ベース部材に対して前記可動体の他端部が位置決めされる第１位置決め部と、
前記発光部の他端部と嵌合可能に形成され、前記発光部の他端部を位置決めする第２位置決め部と、を有することを特徴とする請求項１記載の遊技機。
【発明の詳細な説明】
【技術分野】
【０００１】
本発明は、機体の内部に形成された所定の領域に可動装飾装置を設けた遊技機に関する。
【背景技術】
【０００２】
従来、パチンコ機をはじめとする遊技機では、遊技盤に形成された遊技領域にセンター役物や装飾ランプが設けられている。近年は、センター役物には液晶表示装置が用いられることが多く、この液晶表示装置に数字等から構成される種々の図柄やアニメーションを表示して、遊技の状態に応じて遊技者の遊技に対する興趣を向上させるための種々の演出が行われる。また、装飾ランプは、立体的なカバーで覆われているものや、遊技機に関連するキャラクター等のモチーフを模した意匠の形をしているものが用いられる。この装飾ランプも、例えば液晶表示装置で表示される図柄やアニメーションの表示と連動して、又はこれらとは独立して、種々の発光態様で遊技者の遊技に対する興趣を向上させるための演出を行う。
【０００３】
近年は、遊技機での演出が多様化しており、上記した液晶表示装置や装飾ランプの他、可動装飾体を有するものも存在する。例えば、特許文献１に記載されている遊技機では、遊技盤の中央に開口部が形成されており、ミラーボール等の可動装飾体の一部がこの開口部から該遊技盤の前面に突出して設けられている。特許文献１に記載の遊技機における可動装飾体は、回転装置により回転され、遊技盤の下部に設けられた照射ランプにより光を照射されると光を反射するように構成されている。また、この可動装飾体は、内部に液晶表示装置を有しており、この液晶表示装置に表示された画像を該可動装飾体の透光面を介して表示するようにも構成されている。
【先行技術文献】
【特許文献】
【０００４】
【特許文献１】特開２００７−２０２９８３号公報
【発明の概要】
【発明が解決しようとする課題】
【０００５】
しかしながら、特許文献１に記載された遊技機は、可動装飾体が球体であり、その内部に液晶表示装置が設けられているため、該液晶表示装置にて行われる演出表示が正面に向けて行われるものに限定されるので、正面方向以外の他の方向に向けて異なる表示態様の演出を行うことができず、演出が単調なものになりがちであるという問題があった。このような問題を解決する方法としては、正面だけでなく、種々の表示態様で演出表示するための表示面を他の方向にも備えることが考えられる。しかし、特許文献１に記載の遊技機の場合には、液晶表示装置が正面に向けて画像を表示するのみであるから、該液晶表示装置から光が照射される正面の表示面のみが明るく照らされ、他の表示面は暗いままの状態となり、遊技機全体としての演出効果を向上させるには限界があった。一方、全ての表示面に対して光を照射させるように発光部材を設けた場合には、表示面の数に伴って発光部材の数も増加し、製造コストが増大するという別の問題も生じていた。また、このように表示面の数の増加に伴って発光部材の数を増加させると、可動装飾体が大型化し、遊技機におけるスペース効率を低下させてしまうという問題も生じる。
【０００６】
本発明は、上記した問題を解決するためになされたものであり、遊技者を飽きさせず、遊技に対する興趣を向上させる演出を効果的に行え、部品点数や製造コストも低く抑えることが可能な遊技機を提供することを目的とする。
【課題を解決するための手段】
【０００７】
本発明は、
（１）機体の内部に形成された所定の領域に、遊技の状態に応じた演出表示を行う表示装置及び前記表示装置の外側に位置するように配置されている可動装飾装置を備えた遊技機であって、前記可動装飾装置は、ベース部材と、一端部と他端部とを有し、前記一端部及び前記他端部が前記ベース部材に取付固定され、互いに直交する方向となるように形成された第１発光基板取付部及び第２発光基板取付部を有する発光部本体と、前記第１発光基板取付部に取り付けられており、正面方向に光を照射する第１光源及び前記第２発光基板取付部に取り付けられており、前記正面方向とは直交する方向であって、前記表示装置が配置されている前記所定の領域の中側に向けて光を照射する第２光源を少なくとも有する発光部と、内部に前記第１光源と第２光源とを配置することができ、透光性を有する材料で形成された中空の多角柱体に形成されており、該多角柱体を構成する各側面部が遊技機の演出表示に用いる装飾が施された表示部として形成され、前記発光部本体の一端部と他端部とを結ぶ軸と同じ軸を回動軸として前記発光部の周りを回動可能に設けられた可動体と、を備えたことを特徴とする遊技機；
（２）前記可動体を回動させる駆動手段を備え、前記可動体は、前記駆動手段の駆動力を伝達する伝達部と、前記ベース部材に形成された嵌合部と嵌合可能に形成され、前記ベース部材に対して前記可動体の他端部が位置決めされる第１位置決め部と、前記発光部の他端部と嵌合可能に形成され、前記発光部の他端部を位置決めする第２位置決め部と、を有することを特徴とする上記（１）記載の遊技機；
を要旨とする。
【発明の効果】
【０００８】
本発明によれば、正面方向に光を照射する第１光源及び遊技領域の中側に光を照射する第２光源を少なくとも有する発光部を備えているので、発光部の周囲にて回動する可動体の複数の表示面のうち、遊技者が遊技中に視認可能な正面及び遊技領域の中側の表示面を明るく照らすことができる。したがって、遊技者が視認する表示面は全て明るく照らされているので、遊技機全体としての演出効果を向上させることが可能になる。
また、本発明によれば、内部に第１光源と第２光源とを配置することができる中空の多角柱体に形成されており、該多角柱体を構成する各側面部が遊技機の演出表示に用いる表示部として形成され、発光部の一端部と他端部とを結ぶ軸を回動軸として前記発光部の回りを回動可能に設けられた可動体を備えているので、光源の数を減らすことができ、部品点数の減少し、遊技機の製造コストを低減することも可能になる。
【図面の簡単な説明】
【０００９】
【図１】本発明の実施の形態に係る遊技機の正面図である。
【図２】遊技機を構成する裏ユニットの正面図である。
【図３】可動装飾装置の外観構成を表した外観斜視図である。
【図４】ベース部材の表面側からの構成を表した分解斜視図である。
【図５】ベース部材の裏面側からの構成を表した分解斜視図である。
【図６】可動体の構成を表した分解斜視図である。
【図７】装飾体の構成を表した分解斜視図である。
【図８】発光部材の外観構成を表した外観斜視図であり、（ａ）図は正面側からの外観構成を表した図、（ｂ）図は左側面側からの外観構成を表した図である。
【図９】発光部材の構成を正面側から表した分解斜視図である。
【図１０】発光部材の構成を裏面側から表した分解斜視図である。
【図１１】発光部材を可動体に挿入する手順を説明するための説明図である。
【図１２】発光部材の他端部を可動体に取り付ける手順を説明するための説明図であり、（ａ）図は発光部材の他端部を可動体に取り付ける前の状態を表した図、（ｂ）図は発光部材の他端部を可動体に取り付けた状態を表した図である。
【図１３】発光部材を挿入した可動体を組み立てる手順を説明するための説明図であり、（ａ）図は可動体に上蓋部を取り付ける前の状態を表した図、（ｂ）図は可動体に上蓋部を取り付けた状態を表した図である。
【図１４】発光部材の上部をベース部材に取付固定する手順を説明するための説明図であり、（ａ）図は発光部材の上部をベース部材に取付固定する前の状態を表した図、（ｂ）図は発光部材の上部をベース部材に仮固定し、取付固定する状態を表した図である。
【図１５】可動体をベース部材に取付固定する手順を説明するための説明図であり、（ａ）図は可動体をベース部材に取付固定する前の状態を表した図、（ｂ）図は可動体をベース部材に取付固定した状態を表した図である。
【図１６】可動体及び発光部材をベース部材に組み付けた状態を説明するための説明図である。
【図１７】可動装飾装置を動作させた時の可動体の状態と発光部材の状態を説明するための説明図である。
【発明を実施するための形態】
【００１０】
本発明に係る遊技機の実施の形態について、図面を用いて具体的に説明する。なお、本実施の形態では、本発明に係る遊技機の一例としてパチンコ機を用いて説明するが、本発明はパチンコ機以外の遊技機に適用してもよい。また、本明細書においては、パチンコ機及びパチンコ機を構成する各部材の「前側」、「後側」は、パチンコ機を正面から見た場合における表面側（前面側）、背面側（後面側）を示すものとする。また、本明細書においては、パチンコ機及びパチンコ機を構成する各部材に関して「上側」、「下側」、「左側」及び「右側」は、図１に示すようにパチンコ機を正面から見た場合における上側、下側、左側及び右側を示すものとする。
【００１１】
本実施の形態に係る遊技機の外観構成を図１に基づいて説明する。遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて成形されており、内部に遊技盤１２等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１２を視認することができ、かつ遊技盤１２を保護することができるように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１２】
また、遊技機１は、遊技盤１２に向けて遊技球を弾発するための発射装置を内部に備えており、この発射装置の弾発強さを操作ハンドル８の回動量によって調節することができるように構成されている。また、上受け皿６には、遊技球を貯留する貯留スペースの前側に、遊技者が遊技中に押圧操作する各種ボタン９ａ，９ｂ，９ｃが配置されている。なお、図１中の符号１０，１１は、音声を出力するためのスピーカである。
【００１３】
遊技盤１２は、アクリルやポリカーボネート等の合成樹脂材料で成型された略正方形の平板状の部材である。この遊技盤１２の後側には、図２に示す裏ユニット１３がビス等によって取付固定されている。遊技盤１２には、センター役物１８を取り付けるための開口部１４が略中央部に開口形成されている。また、遊技盤１２の表面には、発射装置で弾発された遊技球を遊技盤１２の上部へ案内する案内レール１５が設けられている。また、遊技盤１２には、案内レール１５により遊技盤１２の上部に案内された遊技球が該遊技盤１２の下部に向けて流下する遊技領域１７が形成されている。
【００１４】
遊技領域１７には、センター役物１８を取り付けるための開口部１４が該遊技領域１７の略中央部に開口形成されている。また、遊技領域１７には、普通入賞装置２０、始動入賞装置２１、大入賞装置２２等の各種入賞装置が設けられている。また、遊技領域１７には、多数の誘導釘２３が打たれている。遊技領域１７を流下する遊技球は、誘導釘２３に当たって流下方向を変化させながら遊技領域１７の上部から下部に向かって流下する。遊技領域１７を流下する遊技球の一部は各種入賞装置に設けられている各種入賞口（図示せず）に入賞し、それ以外の遊技球は、遊技領域１７の最下部に設けられたアウト口２４に流入する。
【００１５】
普通入賞装置２０は、遊技領域１７に複数個（本実施の形態では３個）設けられている。これら普通入賞装置２０は、図示しない普通入賞口を有しており、遊技球が普通入賞口に入賞すると所定の数（例えば１０個）の賞球を払い出すように構成されている。
【００１６】
始動入賞装置２１は、センター役物１８の下方に配置されている。始動入賞装置２１は、図示しない始動入賞口を有しており、遊技球が始動入賞口に入賞すると遊技者に有利な大当り状態で遊技を行うか否かを抽選する大当り抽選が行われるように構成されている。
【００１７】
大入賞装置２２は、始動入賞装置２１の下方に配置された第１大入賞装置２２ａと、センター役物１８の下方であって、遊技領域１７の左右方向中央から右方に配置されている第２大入賞装置２２ｂを備えている。これら第１大入賞装置２２ａ及び第２大入賞装置２２ｂは、図示しない大入賞口を備えている。第１大入賞装置２２ａ及び第２大入賞装置２２ｂは、通常は遊技球が入賞することがなく、大当り抽選に当選した時に、所定個数（例えば１０個）の遊技球が入賞するか、又は所定時間（例えば３０秒）が経過するまでの間、遊技球が入賞するように構成されている。遊技機１は、大入賞口に遊技球が入賞すると、入賞した遊技球の数に対応した数の賞球を遊技者に払い出すように構成されている。なお、本実施の形態では、大入賞装置２２を複数個有する遊技機１を用いて説明したが、大入賞装置２２の数はこれに限定されるものではない。
【００１８】
センター役物１８は、装飾枠２５、図柄表示装置としての液晶表示装置２６及び可動装飾装置２７を備えている。装飾枠２５は、各種の装飾が施されている枠状の部材であり、遊技盤１２の開口部１４に対して該遊技盤１２の前側から挿入して取付固定されている。液晶表示装置２６は、数字等から構成される種々の図柄やアニメーション等を表示したり、遊技の状態に応じた種々の演出表示を行うためのもので、図２に示す裏ユニット１３に取付固定されている。裏ユニット１３に遊技盤１２を取付固定すると、裏ユニット１３で液晶表示装置２６が配置される位置には遊技盤１２の開口部１４が位置するようになっており、液晶表示装置２６で表示される図柄等は、遊技盤１２の開口部１４を介して遊技者が視認できるように構成されている。なお、本実施の形態では、図柄表示装置の一例として液晶表示装置２６を用いて説明しているが、上記した演出表示を行うことができるものであれば、液晶表示装置２６以外のものを任意に選択して用いてもよい。
【００１９】
図２に示すように、可動装飾装置２７は、裏ユニット１３において液晶表示装置２６の右側に位置するように配置されており、裏ユニット１３に遊技盤１２を取付固定した場合には遊技領域１７に設置されるように配置されている。この可動装飾装置２７は、遊技盤１２に取付固定された装飾枠２５の内部に位置するように配置されており、遊技盤１２が裏ユニット１３に取付固定された場合には、該装飾枠２５の右端に位置するように配置される。なお、本実施の形態では、可動装飾装置２７が液晶表示装置２６の右側に位置するように配置した例を用いて説明するが、可動装飾装置２７を設置する位置はこれに限定されるものではない。例えば、液晶表示装置２６の左側、上側、又は下側に取付固定してもよいし、これら以外の場所に取付固定してもよい。
【００２０】
図３に示すように、可動装飾装置２７は、ベース部材３１、可動体３２、駆動手段としての駆動モータ３３及び発光部３４（図１１参照）を備えている。この可動装飾装置２７は、ベース部材３１に可動体３２が設けられており、可動体３２は、ベース部材３１に設けられている駆動モータ３３の駆動力を受けて回動するように構成されている。また、この可動装飾装置２７は、発光部３４が可動体３２の内部に位置するようベース部材３１に取付固定されている。以下において、各部材の構成を詳細に説明する。
【００２１】
ベース部材３１は、可動装飾装置２７を裏ユニット１３に取付固定する際、該裏ユニット１３にネジ止め等の従来から公知の方法で取付固定されるベースとなるものである。本実施の形態では、ベース部材３１は、ポリカーボネート等の合成樹脂材料で成形されたものを用いているが、これに限定されず、合成樹脂材料以外の材料を任意に選択して適宜用いてもよい。
【００２２】
図４及び図５に示すように、ベース部材３１は、ベース本体３５、第１上固定体３６、第２上固定体３７、及び下固定体３８とを備えている。ベース本体３５は、裏ユニット１３に可動装飾装置２７を取り付ける際の取付基板となるものである。ベース本体３５は、前面に畝状の装飾部３９が形成されており、この装飾部３９の右側には、該装飾部３９と隣接するように配線収納部４０が形成されている。配線収納部４０は、左側壁部４１に図示しない基板を取付固定することができるように構成されており、基板に設けられているコネクタを介して、可動装飾装置２７の発光や駆動等に関する各種電気信号の通信及び電力の供給等が行えるようになっている。また、配線収納部４０は、通信や電力の供給等に使用される各種配線を収納することができるように構成されている。また、ベース本体３５には、第１上固定体３６を取付固定するための孔３５ａが上部に３つ開口形成され、下固定体３８を取付固定するための孔３５ｂが下部に４つ開口形成されている。
【００２３】
第１上固定体３６は、可動体３２を回動させるための駆動モータ３３を取付固定するとともに、第２上固定体３７を取付固定するためのもので、ベース本体３５の前側に取付固定されるように形成された略Ｌ字形の部材である。図４及び図５に示すように、第１上固定体３６は、ベース本体３５に取付固定するためのネジ孔３６ａが裏面側の３か所に設けられており、ネジＳ１によりベース部材３５にネジ止め固定されるようになっている。また、第１上固定体３６は、上面側に駆動モータ３３を取付固定するための駆動モータ取付部４２と、駆動モータ３３の駆動軸が挿通可能な駆動軸挿通孔４３とを有している。また、第１上固定体３６には、第２上固定体３７を取付固定するためのネジ孔３６ｂが上面側の４ヵ所に設けられており、ネジＳ２によりネジ止め固定されるように構成されている。
【００２４】
第２上固定体３７は、発光部３４の一端部１１２を取付固定し、可動体３２の上端部を回動可能に支持するためのものである。この第２上固定体３７には、該第２上固定体３７を第１上固定体３６に取付固定するための孔３７ａが、ベースとなる固定基板４４の４ヵ所に開口形成されており、第１上固定体３６に対してネジＳ２により取付固定することができるように構成されている。また、第２上固定体３７には、固定基板４４の下側に第１嵌合凹部４５が形成され、該固定基板４４の上側に発光部用取付部４６が形成されている。
【００２５】
第１嵌合凹部４５は、可動体３２を構成する後述する伝達部６３の上部に形成されている第１嵌合凸部８４と嵌合可能に形成されており、嵌合された可動体３２を回動可能に支持するためのものである。本実施の形態では、平面視した時の形状が円形となる壁部４７を固定基板４４の下方に延出させることで、この壁部４７の内部に第１嵌合凹部４５を形成し、可動体３２の第１嵌合凸部８４が嵌合するように構成されている。
【００２６】
発光部用取付部４６は、発光部３４の上部に形成されている一端部１１２を取付固定するためのもので、固定基板４４の上面側から上方に向けて突出するように形成されている。図４及び図５に示すように、発光部用取付部４６は、固定基板４４に開口形成された発光部挿通用開口部４８と、この発光部挿通用開口部４８の周囲に形成された前壁部４９、左壁部５０、右壁部５１及び上壁部５２とから構成されている。また、発光部用取付部４６は、これら前壁部４９、左壁部５０、右壁部５１及び上壁部５２によって囲まれている空間部５３を有している。この空間部５３は、発光部３４が発光部用取付部４６に取付固定される際、該発光部３４の一端部１１２が配置される空間である。また、前壁部４９には、空間部５３の中に発光部３４の一端部１１２が配置された時、該一端部１１２に形成されている取付孔１１３ａ，１１３ｂが位置する場所と同じ場所に、一端部１１２を第２上固定体３７に取付固定するための孔部４６ａ，４６ｂが開口形成されている。
【００２７】
下固定体３８は、可動体３２の下端部を回動可能に支持するとともに、可動体３２の回動位置を検出するためのセンサ部材５４を取付固定するためのものである。この下固定体３８には、該下固定体３８をベース本体３５の前側に取付固定するための孔３８ａが４ヵ所に開口形成されており、ベース本体３５に対してネジＳ３により取付固定することができるように構成されている。また、下固定体３８には、第２嵌合凹部５５とセンサ部材取付部５６とが形成されている。
【００２８】
第２嵌合凹部５５は、可動体３２を構成する後述する支持部６５の下部に形成されている第３嵌合凸部９３と嵌合可能に形成されており、可動体３２を回動可能に支持するためのものである。本実施の形態では、平面視した時の形状が円形となる壁部５７を形成し、この壁部５７の内部に凹部を形成することで第２嵌合凹部５５を形成し、可動体３２の第３嵌合凸部９３が嵌合するように構成されている。
【００２９】
センサ部材取付部５６は、第２嵌合凹部５５の右側に隣接して形成されており、取り付けられるセンサ部材５４の位置決めをするための位置決め部５６ａが形成されている。またこのセンサ部材取付部５６は、センサ部材５４をネジ止め等の方法によって取付固定するための孔５６ｂが開口形成されている。
【００３０】
次に、可動体３２の構成を図６及び図７に基づいて説明する。図６に示すように、可動体３２は、演出装飾部６１、上蓋部６２、伝達部６３、下蓋部６４及び支持部６５を備えている。図７に示すように、演出装飾部６１は、装飾本体６６と複数の表示部６７ａ〜６７ｆとから構成されている。また、図６に示すように、可動体は、中空の多角柱体としての六角柱体に形成されており、この六角柱を構成する後述する各側面部が遊技機１の演出表示に用いる表示部として形成されている。また、可動体は、内部に発光部を配置することが出来るように構成されている。
【００３１】
装飾本体６６は、第１演出装飾体６８と第２演出装飾体６９とから構成されており、これら第１演出装飾体６８と第２演出装飾体６９とを組み合わせると、中空の六角柱形状となるように形成されている。また、第１演出装飾体６８及び第２演出装飾体６９は、透光性を有する材料で形成されている。
【００３２】
第１演出装飾体６８は、第１側面部６８ａ、第２側面部６８ｂ、第３側面部６８ｃ、第１上面部６８ｄ及び第１下面部６８ｅから構成されており、これらが一体的に成形されている。また、第２演出装飾体６９は、第４側面部６９ａ、第５側面部６９ｂ、第６側面部６９ｃ、第２上面部６９ｄ及び第２下面部６９ｅから構成されており、これらが一体的に成形されている。なお、第１演出装飾体６８は、第１〜第３側面部６８ａ〜６８ｃ、第１上面部６８ｄ及び第１下面部６８ｅを別体により形成し、これらを組み合わせてもよい。同様に、第２演出装飾体６９は、第４〜第６側面部６９ａ〜６９ｃ、第２上面部６９ｄ及び第２下面部６９ｅを別体により形成し、これらを組み合わせてもよい。なお、上記した角度は、これに限定されるものではなく、任意に選択した角度としてもよい。
【００３３】
第１演出装飾体６８における第１〜第３側面部６８ａ〜６８ｃは、第１演出装飾体６８を平面視した時の第１側面部６８ａと第２側面部６８ｂとのなす角、及び第２側面部６８ｂと第３側面部６８ｃとのなす角が鈍角となるように形成されている。また、第２演出装飾体６９における第４〜第６側面部６９ａ〜６９ｃは、第２演出装飾体６９を平面視した時の第４側面部６９ａと第５側面部６９ｂとのなす角、及び第５側面部６９ｂ及び第６側面部６９ｃとのなす角が鈍角となるように形成されている。これら第１〜第３側面部６８ａ〜６８ｃ及び第４〜第６側面部６９ａ〜６９ｃには、可動体３２の内部に配置される発光部３４から照射された光を拡散することが可能な光拡散構造が形成されている。
【００３４】
第１上面部６８ｄは、第１〜第３側面部６８ａ〜６８ｃの上部において該第１〜第３側面部６８ａ〜６８ｃと直交し、かつこれら第１〜第３側面部６８ａ〜６８ｃで部分的に囲まれる空間内の一部に形成されている。この第１上面部６８ｄには、第１位置決め用突起部６８ｆと第１上蓋体固定部６８ｇとが形成されている。また、第２上面部６９ｄは、第４〜第６側面部６９ａ〜６９ｃの上部において該第４〜第６側面部６９ａ〜６９ｃと直交し、かつこれら第４〜第６側面部６９ａ〜６９ｃで部分的に囲まれる空間内の一部に形成されている。この第２上面部６９ｄには、第２位置決め用突起部６９ｆと、第２上蓋体固定部６９ｇとが形成されている。
【００３５】
第１位置決め用突起部６８ｆ及び第２位置決め用突起部６９ｆは、上蓋部６２を取り付ける際に該上蓋部６２の位置決めを行うためのものであり、第１位置決め用突起部６８ｆは第２側面部６８ｂの上端部から上方に突出するように形成され、第２位置決め用突起部６９ｆは第５側面部６９ｂの上端部から上方に突出するように形成されている。第１上蓋体固定部６８ｇ及び第２上蓋体固定部６９ｇは、上蓋部６２を取付固定するためのものであり、本実施の形態では、第１上蓋体固定部６８ｇは第１上面部６８ｄの２ヶ所に形成され、第２上蓋体固定部６９ｇは第２上面部６９ｄの２ヶ所に形成されており、上蓋部６２をネジ止め固定することができるように構成されている。
【００３６】
第１下面部６８ｅは、第１〜第３側面部６８ａ〜６８ｃの下部において該第１〜第３側面部６８ａ〜６８ｃと直交し、かつこれら第１〜第３側面部６８ａ〜６８ｃで部分的に囲まれる空間内の一部に形成されている。この第１下面部６８ｅには、第３位置決め用突起部６８ｈと第１下蓋体固定部６８ｉとが形成されている。また、第２下面部６９ｅは、第４〜第６側面部６９ａ〜６９ｃの上部において該第４〜第６側面部６９ａ〜６９ｃと直交し、かつこれら第４〜第６側面部６９ａ〜６９ｃで部分的に囲まれる空間内の一部に形成されている。この第２下面部６９ｅには、第４位置決め用突起部６９ｈと、第２下蓋体固定部６９ｉとが形成されている。第３位置決め用突起部６８ｈ及び第４位置決め用突起部６９ｈは、下蓋部６４を取り付ける際に該下蓋部６４の位置決めを行うためのものであり、第３位置決め用突起部６８ｈは第２側面部６８ｂの下端部から下方に突出するように形成され、第４位置決め用突起部６９ｈは第５側面部６９ｂの下端部から下方に突出するように形成されている。第１下蓋体固定部６８ｉ及び第２下蓋体固定部６９ｉは、下蓋部６４を取付固定するためのものであり、本実施の形態では、第１下蓋体固定部６８ｉは第１下面部６８ｅの２ヶ所に形成され、第２下蓋体固定部６９ｉは第２下面部６９ｅの２ヶ所に形成されており、下蓋部６４をネジ止め固定することができるように構成されている。
【００３７】
第１演出装飾体６８と第２演出装飾体６９とを組み合わせて形成された装飾本体６６は、第１上面部６８ｄ及び第２上面部６９ｄとに囲まれて形成された第１空間部７１と、第１下面部６８ｅ及び第２下面部６９ｅとに囲まれて形成された第２空間部７２とを有する。
【００３８】
表示部６７ａ〜６７ｆは、第１演出装飾体６８及び第２演出装飾体６９の外周面側に取付固定することができるように形成されている。この表示部６７ａ〜６７ｆは、上下方向の大きさが装飾本体６６の上下方向の大きさよりも大きく、該装飾本体６６に上蓋部６２及び下蓋部６４を取り付けた時に、該表示部６７ａ〜６７ｆの上端の位置と上蓋部６２の上面との位置とが略面一となり、該表示部６７ａ〜６７ｆの下面の位置と下蓋部６４の下面の位置とが略面一となる大きさに形成されている。これら表示部６７ａ〜６７ｆは、該表示部６７ａ〜６７ｆの外周面に「瞑想の陣」のような装飾を付した文字等の各種装飾が施されており、遊技の状態に応じて各種の演出を行うことができるように構成されている。なお、表示部６７ａ〜６７ｆに付されている各種装飾には、文字や図柄に限定するものではなく、それ以外の装飾を任意に選択して適宜用いることができる。
【００３９】
図６に示すように、装飾本体６６の周囲に表示部６７ａ〜６７ｆと取り付けると、第１演出装飾体６８の第１上面部６８ｄ及び第２演出装飾体６９の第２上面部６９ｄの高さ方向の位置と、表示部６７ａ〜６７ｆの上端部の高さ方向の位置との間に差が生じており、第１嵌合空間部７３が形成されている。同様に、第１演出装飾体６８の第１下面部６８ｅ及び第２演出装飾体６９の第２下面部６９ｅの高さ方向の位置と、表示部６７ａ〜６７ｆの下端部の高さ方向の位置との間にも差が生じており、第２嵌合空間部７４（図１６参照）が形成されている。第１嵌合空間部７３は、上蓋部６２を装飾本体６６に取り付ける際、該上蓋部６２を嵌合し、該上蓋部６２を取付固定することができるように形成された空間である。第２嵌合空間部７４は、下蓋部６４を装飾本体６６に取り付ける際、該下蓋部６４を嵌合し、該下蓋部６４を取付固定することができるように形成された空間である。
【００４０】
図６に示すように、上蓋部６２は、装飾本体６６の上部に取付固定されるものである。この上蓋部６２は、基板７６と、この基板７６から上方に向けて凸状に形成された凸部７７とを有している。基板７６は、第１嵌合空間部７３内に嵌合することができる大きさに形成されており、本実施の形態では、平面視した時の形状が略六角形となるように形成されている。また、この基板７６には、第１上蓋体固定部６８ｇにネジ止め固定する際にネジを通すための孔６２ａと、第２上蓋体固定部６９ｇにネジ止め固定する際にネジを通すための孔６２ｂが開口形成されている。また、この基板７６には、第１位置決め用突起部６８ｆと係合して位置決めされる第１位置決め用凹部７８と、第２位置決め用突起部６９ｆと係合して位置決めされる第２位置決め用凹部７９とが形成されている。
【００４１】
凸部７７は、基板７６から上方に向けて凸状に形成されている。この内部は中空状になっており、貫通孔８１を介して上蓋部６２の外部と連通するようになっている。なお、この内部は、上蓋部６２の下部においても該上蓋部６２の外部と連通するように構成されている。凸部７７は、基板７６から上方に向けて延びる垂直部７７ａと、該垂直部７７ａの上端部において内径方向に向けて屈曲して該内径方向に延出する水平部７７ｂとを有している。水平部７７ｂには、上蓋部６２において伝達部６３を取付固定する際の位置決めを行うための位置決め用孔７７ｃと、上蓋部６２に伝達部６３を取付固定するための取付固定孔７７ｄとが設けられている。
【００４２】
伝達部６３は、駆動モータ３３から加えられる駆動力を可動体３２に伝達するためのもので、上蓋部６２の上方に取付固定されるように構成されている。この伝達部６３は、内部が中空状に形成された円柱状の部材であり、下部には従動ギヤ８２が形成されている。従動ギヤ８２は、伝達部６３の下部において円柱状に形成された側面の全周にわたって形成されており、駆動モータ３３に取り付けられている駆動ギヤ３３ａと噛み合い、駆動ギヤ３３ａを介して駆動モータ３３の駆動力が伝達されるように構成されている。また、伝達部６３は、第１挿通孔８３を有している。第１挿通孔８３は、演出装飾部６１の内部に配置される発光部３４の一端部１１２を挿通することができるように形成されている。なお、図示していないが、伝達部６３には、下面に、上蓋部６２の凸部７７に形成されている位置決め用孔７７ｃに嵌合する突起部と、該凸部７７に形成されている取付固定孔７７ｄを介してネジ止め固定されるネジ孔が設けられている。なお、伝達部６３における従動ギヤ８２よりも上に位置する円柱形状の上端部は、第２上固定体３７に形成された第１嵌合凹部４５と嵌合するように形成された第１嵌合凸部８４である。
【００４３】
図６に示すように、下蓋部６４は、装飾本体６６の下部に取付固定されるものである。下蓋部６４は、第２嵌合空間部７４内に嵌合することができる大きさに形成されており、本実施の形態では、平面視した時の形状が略六角形となるように形成されている。また、下蓋部６４には、第１下蓋体固定部６８ｉにネジ止め固定する際にネジを通すための孔と、第２下蓋体固定部６９ｉにネジ止め固定する際にネジを通すための孔が開口形成されている。また、下蓋部６４には、第３位置決め用突起部６８ｈと係合して位置決めされる第３位置決め用凹部８６と、第４位置決め用突起部６９ｈと係合して位置決めされる第４位置決め用凹部８７とが形成されている。
【００４４】
下蓋部６４には第２挿通孔８８が開口形成されている。第２挿通孔８８は、支持部６５の第２嵌合凸部９２が挿通可能な大きさに形成されており、下蓋部６４に支持部６５を取付固定した場合には、第２挿通孔８８よりも上方に第２嵌合凸部９２の先端が位置し、下蓋部６４の上面から突出させることができるように形成されている。
【００４５】
支持部６５は、取付固定部９１と、第１位置決め部としての第２嵌合凸部９２と、第２位置決め部としての第３嵌合凸部９３とを備えている。取付固定部９１は、支持部６５を下蓋部６４の下部に取付固定するためのものであり、略円板状に形成されている。取付固定部９１には、下蓋部６４にネジ止め固定する際に使用される孔９１ａが開口形成されているほか、下蓋部６４に取付固定する際の位置決め用孔９１ｂが開口形成されており、支持部６５を下蓋部６４に取付固定する際は、下蓋部６４に形成された位置決めピン（図示せず）を位置決め用孔９４に挿し込んで位置決めを行い、ネジ止め固定するように構成されている。また、取付固定部９１には検出片９５が突出形成されている。
【００４６】
第２嵌合凸部９２は、取付固定部９１から上方に向けて延出するように形成されている。この第２嵌合凸部９２は、発光部３４の他端部１１４を回動自在に支持するためのもので、先端部９７と、この先端部９７よりも取付固定部９１側に形成され、外径が該先端部９７よりも大径となるように形成された基端部９８とが形成されている。先端部９７は、発光部３４の他端部１１４に形成された第３嵌合凹部１１５に嵌合することが可能な外径を有するように形成されており、支持部６５が下蓋部６４に取付固定されると、第２挿通孔８８を挿通して下蓋部６４の基端面から突出するように配置される（図１２（ａ）参照）。
【００４７】
基端部９８は、外径が先端部９７よりも大径となるように形成されており、支持部６５が下蓋部６４に取付固定された時に、第２挿通孔８８と嵌合可能な大きさに形成されている。なお、本実施の形態では、基端部９８と先端部９７とでは外径が異なるように形成されているが、第２挿通孔８８の孔径が先端部９７の外径と同一であれば、基端部９８の外径と先端部９７の外径とが同じであってもよい。この検出片９５は、センサ部材５４が可動体３２の回動位置を検出する際に使用されるもので、本実施の形態では取付固定部９１に一体成型されている。
【００４８】
第３嵌合凸部９３は、下固定体３８に形成されている第２嵌合凹部５５と嵌合させて、可動体３２をベース部材３１に回動自在に支持させるためのもので取付固定部９１から下方に向けて延出するように形成されている。この第３嵌合凸部９３は、平面視した時の形状が円形状となるように形成されており、その外径の大きさが第２嵌合凹部の内径と略同じか、若干小さくなるように形成されており、第２嵌合凹部５５に対して容易に嵌合させることができるように構成されている。
【００４９】
次に、発光部３４の構成を図８〜図１０に基づいて説明する。発光部３４は、可動体３２の内部に配置され、該可動体３２の内部から光を照射するためのものである。発光部３４は、発光部本体１０１、第１発光基板１０２、第１レンズ部材１０３、第２発光基板１０４及び第２レンズ部材１０５を備えている。発光部本体１０１は、発光部３４を構成する第１発光基板１０２、第１レンズ部材１０３、第２発光基板１０４及び第２レンズ部材１０５が取付固定されるように構成されたベース状の部材である。発光部本体１０１は、左側壁部１０６と右側壁部１０７とを有し、これら左側壁部１０６と右側壁部１０７との間に、第１発光基板１０２及び第１レンズ部材１０３を取付固定するための第１発光基板取付部１０８が形成されている。また、右側壁部１０７が設けられている箇所には、この右側壁部１０７を一部切り欠いて、第１レンズ部材１０３をネジによりネジ止め固定するための固定孔１０７ａが設けられている。また、発光部３４は、前側壁部１０９を有し、この前側壁部１０９の後側に第２発光基板１０４及び第２レンズ部材１０５を取付固定するための第２発光基板取付部１１０が形成されている。この第２発光基板取付部１１０には、第２発光基板１０４をネジにより取付固定する取付孔１１０ａが２ヶ所に形成されており、第２レンズ部材１０５をネジにより取付固定する取付孔１１０ｂが２ヶ所に形成されている。
【００５０】
これら第１発光基板取付部１０８と第２発光基板取付部１１０は、第１発光基板１０２に取り付けられている第１光源としてのＬＥＤ１１１ａが光を照射する方向と、第２発光基板１０４に取り付けられている第２光源としてのＬＥＤ１１１ｂが光を照射する方向とが、互いに直交する方向となるように形成されている。すなわち、発光部３４は、可動装飾装置２７が裏ユニット１３に取付固定された場合には、第１発光基板取付部１０８に取り付けられている第１発光基板１０２のＬＥＤ１１１ａが正面方向に光を照射し、第２発光基板取付部１１０に取り付けられている第２発光基板１０４のＬＥＤ１１１ｂが正面方向とは直交する遊技領域１７の中側方向（本実施の形態では左方向）に光を照射する。
【００５１】
また、発光部本体１０１には、上側の端部である一端部１１２に取付孔１１３ａ，１１３ｂが設けられている。この取付孔１１３ａ，１１３ｂは、発光部３４をベース部材３１に取付固定するためのものである。また、発光部本体１０１には、下側の端部である他端部１１４に第３嵌合凹部１１５が形成されている。この第３嵌合凹部１１５は、発光部３４が可動体３２の内部に配置された時に、可動体３２を構成する支持部６５の先端部９７と嵌合するように形成されている。第３嵌合凹部１１５は、支持部６５の先端部９７の外径と略同一か、該先端部９７の外径よりも若干大径となるように形成されている。ここで、可動体３２は、回動軸を中心として回動するように構成されているが、この回動軸は、発光部本体１０１の一端部１１２と他端部１１４とを結ぶ軸が可動体３２の回動軸と同じ位置となるように配置されている。
【００５２】
第１発光基板１０２は、第１発光基板取付部１０８に取付固定されるように形成されており、基板上に１２個のＬＥＤ１１１ａが設けられている。また、第１発光基板１０２は、第１レンズ部材１０３に形成された第１レンズ部材固定孔１０３ａとの干渉を防ぐための逃げ部１０２ａが２ヶ所に形成されている。なお、第１発光基板１０２は、ネジによって第１発光基板取付部１０８に取付固定されるようになっている。第２発光基板１０４は、第２発光基板取付部１１０に取付固定されるように形成されており、基板上に６個のＬＥＤ１１１ｂが設けられている。また、第２発光基板１０４は、第２レンズ部材１０５に形成された第２レンズ部材固定孔１０５ａとの干渉を防ぐための逃げ部１０４ａが形成されている。なお、第２発光基板１０４も、第１発光基板１０２と同様に、ネジによって第２発光基板取付部１１０に取付固定されるようになっている。
【００５３】
第１レンズ部材１０３は、第１発光基板１０２に設けられているＬＥＤ１１１ａから照射される光を拡散させるためのもので、第１発光基板取付部１０８に対して第１発光基板１０２を覆うように（本実施の形態では、第１発光基板１０２の前側に）取付固定されている。第１レンズ部材１０３は、右側に第１発光基板取付部１０８にネジによって取付固定するための第１レンズ部材固定孔１０３ａが形成されている。また、第１レンズ部材１０３には、ＬＥＤ１１１ａから照射された光を拡散するためのレンズが形成されている。このレンズは、ＬＥＤ１１１ａと同数の１２個が形成されており、第１レンズ部材１０３が第１発光基板取付部１０８に取付固定された時に、各レンズが各ＬＥＤ１１１ａの前側に位置するように形成されている。第２レンズ部材１０５は、第２発光基板１０４に設けられているＬＥＤ１１１ｂから照射される光を拡散させるためのもので、第２発光基板取付部１１０に対して第２発光基板１０４を覆うように（本実施の形態では第２発光基板１０４の左側に）取付固定されている。第２レンズ部材１０５は、第２発光基板取付部１１０にネジによって取付固定するための第２レンズ部材固定孔１０５ａが形成されている。また、第２レンズ部材１０５には、ＬＥＤ１１１ｂから照射された光を拡散するためのレンズが形成されている。このレンズは、ＬＥＤ１１１ｂと同数の６個が形成されており、第２レンズ部材１０５が第２発光基板取付部１１０に取付固定された時に、各ＬＥＤ１１１ｂが光を照射する方向に各レンズが位置するように形成されている。
【００５４】
なお、本実施の形態では、発光素子としてＬＥＤ１１１ａ，１１１ｂを使用した例を用いて説明しているが、発光素子としてはＬＥＤ１１１ａ，１１１ｂ以外の他の素子を使用してもよい。また、本実施の形態では、第１発光基板１０２が正面側へ光を照射し、第２発光基板１０４が正面視左側へ光を照射するように形成しているが、これは、第２発光基板１０４が遊技領域１７の中に向けて光を照射するように構成されているものであればよい。例えば、可動装飾装置２７がセンター役物１８の上部又は上方に設けられている場合には、第１発光基板１０２が正面側へ光を照射し、第２発光基板１０４が正面視下側へ光を照射するようにしてもよい。同様に、可動装飾装置２７がセンター役物１８の左側に設けられている場合には、第１発光基板１０２が正面側へ光を照射し、第２発光基板１０４が正面視右側へ光を照射するようにしてもよい。さらに、可動装飾装置２７がセンター役物１８の下側に設けられている場合には、第１発光基板１０２が正面側へ光を照射し、第２発光基板１０４が正面視上側へ光を照射するようにしてもよい。
【００５５】
このように構成された可動装飾装置２７は、以下に説明する手順で組み立てられる。まず、図１１に示すように、第１演出装飾体６８及び第２演出装飾体６９を組み付けて装飾本体６６を組み上げ、この装飾本体６６の第１〜第６表示部に表示部６７ａ〜６７ｆを取り付ける。そして、第２嵌合空間部７４に下蓋部６４を挿入配置し、その後第１演出装飾体６８の第１下蓋体固定部６８ｉ及び第２下蓋体固定部６９ｉに下蓋部６４をネジ止め固定する。次に、このように組み上げた装飾本体６６の内部に発光部３４を挿入する。発光部３４は、該発光部３４を図１１中Ａ方向へ移動させて挿入する。そして、図１２に示すように、発光部３４の他端部１１４を該他端部１１４に形成された第３嵌合凹部１１５を下蓋部６４に取付固定された支持体６５の第２嵌合凸部９２の先端部９７と嵌合させて、発光部３４の他端部１１４を支持させる。なお、図１２（ａ）は、第３嵌合凹部１１５を第２嵌合凸部９２の先端部９７に嵌合させる前の状態を表しており、図１２（ｂ）は、第３嵌合凹部１１５を第２嵌合凸部９２の先端部９７に嵌合させた状態を表している。
【００５６】
次に、演出装飾部６１に、伝達部６３を取付固定した上蓋部６２を取り付ける。この場合は、図１３（ａ）に示すように、上蓋部６２を装飾本体６６の上方からＢ方向に移動させる。そして、上蓋部６２の貫通孔８１及び伝達部６３の第１挿通孔８３に発光部３４の一端部１１２を挿通させながらＢ方向へ移動させ、第１嵌合空間部７３に上蓋部６２を挿入配置した後、第１演出装飾体６８の第１上蓋体固定部６８ｇ及び第２演出装飾体６９の第２上蓋体固定部６９ｇに上蓋部６２をネジ止め固定する。図１３（ｂ）は、上蓋部６２を演出装飾部６１にネジ止め固定した状態を表した図である。図１３（ｂ）に示すように、上蓋部６２を装飾本体６６にネジ止め固定すると、発光部３４の一端部１１２のうち、少なくとも取付孔１１３ａ，１１３ｂが形成されている箇所よりも先端側の部分が伝達部６３の第１挿通孔８３から飛び出た状態となる。
【００５７】
次に、発光部３４を組み込んだ可動体３２をベース部材３１に取付固定する。図１４に示すのは、ベース部材３１を構成する第２上固定体３７に発光部３４の一端部１１２をネジ止め固定する様子を表したものである。図１４（ａ）に示すように、まずは発光部３４の一端部１１２を図中のＣ方向へ移動させる。そして、一端部１１２の先端を第２上固定体３７に開口形成した発光部挿通用開口部４８に挿通させ、前壁部４９、左壁部５０、右壁部５１及び上壁部５２によって囲まれて形成された空間部５３の中に該一端部１１２の先端を配置する。そして、図１４（ｂ）に示すように、発光部用取付具４６を介してネジ４６ａ，４６ｂによりネジ止め固定される。また、このようにして発光部３４の一端部１１２を第２上固定体３７に取付固定すると、第２上固定体３７の固定基板４４の下側に形成された第１嵌合凹部４５に伝達部６３の上端部が嵌合する。
【００５８】
次に、可動体３２の下端部を下固定体３８に取り付ける。この場合は、図１５（ａ）に示すように、可動体３２を図中のＤ方向へ移動させる。そして、下固定体３８の第３嵌合凹部１１５に支持部６５の第３嵌合凸部９３を嵌合させて、可動体３２の下部を支持させる。このように可動体３２の下端部を下固定体３８により支持すると、支持部６５に形成された検出片９５の通過を下ベース部材３１に取り付けられたセンサ部材５４により検出できるようになる。以上の通り、発光部３４を組み込んだ可動体３２を取付固定した第２上固定体３７及び下固定体３８をベース本体３５にネジ止め固定して、本実施の形態に係る可動装飾装置２７が構成される。
【００５９】
図１６は、上記した手順で組み上げた可動装飾装置２７の断面図である。この断面図は、可動装飾装置２７を正面視した状態を表している。したがって、本実施の形態では、図１６に示す可動装飾装置２７の左側に液晶表示装置２６が配置される。図１６中の点線で示したのは、液晶表示装置２６が配置される場所である。
【００６０】
図１６に示すように、本実施の形態に係る可動装飾装置２７は、裏ユニット１３に取り付けると、発光部３４のうち、第１発光基板１０２が正面方向に光を照射するように配置され、第２発光基板１０４が左方向、即ち、遊技領域１７の中央に向く方向（本実施の形態では液晶表示装置２６が設置されている方向）に光を照射するように配置されている。このとき、発光部３４は、一端部１１２が第２上固定体３７の発光部用取付部４６にネジ止め固定されており、第２上固定体３７は第１上固定体３６を介してベース本体３５にネジ止め固定されているので、正面方向及び左方向に光を照射する位置に固定される。また、下固定体３８もベース本体３５にネジ止め固定されているので、発光部３４は、この取付固定された位置に固定される。
【００６１】
しかし、可動体３２は、上部に位置する伝達部６３の第１嵌合凸部９３が第２上固定体３７の第１嵌合凹部４５との間において回動自在に嵌合されているのみであり、下部に位置する支持部６５の第２嵌合凸部９２の先端部９７が発光部３４の他端部１１４に形成された第３嵌合凹部１１５と回動自在に嵌合し、支持部６５の第３嵌合凸部９３が下固定体３８の第２嵌合凹部５５に回動自在に嵌合されているのみである。また、伝達部６３の従動ギヤ８２は、駆動モータ３３に取り付けられた駆動ギヤ３３ａと噛み合っているから、駆動モータ３３が回転駆動を開始すると、その駆動力が駆動ギヤ３３ａ及び従動ギヤ８２を介して可動体３２に伝達され、可動体３２が回動を開始する。このとき、可動体３２は、発光部３４の一端部１１２と他端部１１４とを結ぶ軸を回動軸として発光部３４の周りを回動することができる。すなわち、図１７に示すように、本実施の形態に係る可動装飾装置２７は、発光部３４は固定されているため回動せず、この発光部３４の回りを可動体３２がＲ方向に回動する。
【００６２】
そのため、本実施の形態によれば、一つの発光部３４を可動体３２の内部に設けておくことのみによって、複数の表示部６７ａ〜６７ｆを使用した多様な演出を行うことが可能になる。また、本実施の形態によれば、正面方向のみならず、遊技領域１７に向かう方向についても光を照射する発光装置を有しているので、遊技機１内における遊技領域１７をより明るく見せることができ、遊技者に明るい印象を持たせ、より積極的に遊技に取り組ませることが可能になる。また、本実施の形態によれば、一つの発光装置を用いて同時に複数の表示部６７ａ〜６７ｆに対して光を照射することが可能になるので、光を用いた演出のバリエーションを増加させることができる。したがって、本実施の形態によれば、遊技者の遊技に対する興趣をより向上させるような演出を行うことが可能になる。また、本実施の形態によれば、発光装置の数を増加させずに上記した多様な光を用いる演出を行うことができるので、製造時のコストを低く抑えることが可能であり、また部品点数を減らして可動装飾装置の大型化を防ぐことも可能になる。
【００６３】
なお、本実施の形態では、可動体を構成する装飾本体は、平面視形状が六角形状となるように形成されているが、本発明は六角形状に限定されるものではなく、少なくとも三角形状であればよい。
【００６４】
以上、本発明の実施の形態に係る遊技機について詳細に説明したが、本実施の形態に係る遊技機は一例であり、これに限定されるものではなく、本発明の趣旨を逸脱しない範囲で、適宜変更してよいのは勿論である。
【符号の説明】
【００６５】
１  遊技機
１２  遊技盤
１３  裏ユニット
１４  開口部
１７  遊技領域
１８  センター役物
２６  液晶表示装置
２７  可動装飾装置
３１  ベース部材
３２  可動体
３３  駆動モータ
３４  発光部
３５  ベース本体
３６  第１上固定体
３７  第２上固定体
３８  下固定体
４４  固定基板
４５  第１嵌合凹部
４６  発光部用取付部
４８  発光部挿通用開口部
４９  前壁部
５０  左壁部
５１  右壁部
５２  上壁部
５３  空間部
５５  第２嵌合凹部
６１  演出装飾部
６２  上蓋部
６３  伝達部
６４  下蓋部
６５  支持部
６６  装飾本体
６７  表示体
６８  第１演出装飾体
６９  第２演出装飾体
７１  第１空間部
７２  第２空間部
７３  第１嵌合空間部
７４  第２嵌合空間部
８１  貫通孔
８２  従動ギヤ
８３  第１挿通孔
８４  第１嵌合凸部
８８  第２挿通孔
９１  取付固定部
９２  第２嵌合凸部
９３  第３嵌合凸部
１０１  発光部本体
１０２  第１発光基板
１０３  第１レンズ部材
１０４  第２発光基板
１０５  第２レンズ部材
１０８  第１発光基板取付部
１１０  第２発光基板取付部
１１１  ＬＥＤ
１１２  一端部
１１４  他端部
１１５  第３嵌合凹部
【図１】
0005764087.tif 000002
【図２】
0005764087.tif 000003
【図３】
0005764087.tif 000004
【図４】
0005764087.tif 000005
【図５】
0005764087.tif 000006
【図６】
0005764087.tif 000007
【図７】
0005764087.tif 000008
【図８】
0005764087.tif 000009
【図９】
0005764087.tif 000010
【図１０】
0005764087.tif 000011
【図１１】
0005764087.tif 000012
【図１２】
0005764087.tif 000013
【図１３】
0005764087.tif 000014
【図１４】
0005764087.tif 000015
【図１５】
0005764087.tif 000016
【図１６】
0005764087.tif 000017
【図１７】
0005764087.tif 000018